(57)【要約】      （修正有） 【課題】正面枠部分がパレットの上面部分に収容されるように構成し、もって、例えば保管用部品等の収容及び取出しが、正面部分か自動ラックによる機械的取り出し及び収容と言うような作業工程の採用が可能化されるようにした「棚用折畳みパレット」の提供。【解決手段】四隅にガイドポスト３を設けた床枠１の後端縁に背面枠４を起伏自在に取り付けると共に、ガイドポスト３に起伏自在に連結して成る正面側柱体６と背面側柱体７に対して、左右の側面枠５，５を取付け、背面枠４及び左右の側面枠５，５が床枠１上に重ね合わせるような折り畳みが成されるように構成した折畳みパレットおいて、その正面枠Ａとして、立ち上がり状態からパレットの上面部分に水平状態で押し込むことができるように、正面枠Ａの上端縁を柱体6，7の上端寄りに設けた所要のガイドレールに対して係脱自在に連結するように構成する。【選択図】図１
0003141547.tif 000002
【実用新案登録請求の範囲】
【請求項１】
四隅にガイドポスト(３)を設けた床枠(１)の後端縁に背面枠(４)を起伏自在に取り付けると共に、当該ガイドポスト(３)に起伏自在に連結して成る正面側柱体(６)と背面側柱体(７)に対して、左右の側面枠(５，５)を取付け、当該背面枠(４)及び左右の側面枠(５，５)が床枠(１)上に重ね合わせるような折り畳みが成されるように構成した折畳みパレットおいて、
その正面枠(Ａ)として、立ち上がり状態からパレットの上面部分に水平状態で押し込むことができるように、当該正面枠(Ａ)の上端縁を柱体(6，7)の上端寄りに設けた所要のガイドレールに対して係脱自在に連結するように構成した棚用折畳みパレット。
【請求項２】
四隅にガイドポスト(３)を設けた床枠(１)の後端縁に背面枠(４)を起伏自在に取り付けると共に、当該ガイドポスト(３)に起伏自在に連結して成る正面側柱体(６)と背面側柱体(７)に対して、左右の側面枠(５，５)を取付け、当該背面枠(４)及び左右の側面枠(５，５)が床枠(１)上に重ね合わせるような折り畳みが成されるように構成した折畳みパレットおいて、その正面枠(Ａ)が下記する1，〜4，の構成を備えたものとしてなる棚用折畳みパレット。
1，  当該正面枠(Ａ)の下端縁側の支持手段として、下部フレーム(９)の両端面部に開閉制御用丸軸(14，14)を突設すると共に、当該開閉制御用丸軸(14，14)を着脱自在に支承するための開閉制御用プレート(15，15)を正面側のガイドポスト(３，３)の内側面に固設し、当該開閉制御用プレート(15，15)には鈎状を呈する制御用カム溝(16)を形成すると共に、当該カム溝(16)は、幅広な水平溝部(16a)と、これに連なりかつ当該水平溝部(16a)内に位置する前記開閉制御用丸軸(14)を外方に離脱させるための案内用弧状内縁(ａ)を具えた離脱案内用溝部(16b)を有するものとし、更に、当該水平溝部(16a)の下縁中央部には、正面枠(Ａ)を内側に折畳んだ状態から垂直状に立ち上がらせた状態に回転させる際にその回動を司る前記開閉制御用丸軸(14)を安定させるための上向き半円状凹所(ｂ)を、また、上記離脱案内用溝部(16b)の開放端には、当該開閉制御用丸軸(14)を離脱させるための開放部(ｃ)を形成するように構成する。
2，  当該正面枠(Ａ)の上端縁側の支持手段として、内面側全長に亘ってスリットが形成されている角パイプ状杆材で形成され、かつ、当該スリットを下記カンヌキ杆(18)の摺動案内用レール部(17ａ)として機能させると共に、前端部分には当該スリット部分の下側立上がり板部全体を切欠くことにより、正面枠(Ａ)に設けられている下記カンヌキ杆(18)の先端を受け容れるための案内用切欠き部(17ｂ)を設けて成る制御用レールフレーム(17，17)を、前記側面枠(５,５)における上部フレーム(5ａ)の上面に、左右対称的に取付ける。
3，  正面枠Ａの上部フレーム(８)の両端部上面に、レバー(18ａ)の操作に基づきその出没作動がなされるように構成したカンヌキ杆(18，18)を設け、当該カンヌキ杆(18)の先端には、下縁(19ａ)を水平縁とする略半円形状を呈するカム盤(19)を固設し、当該カム盤(19)はカンヌキ杆(18)を突出させることにより、前記案内用切欠き部(17ｂ)から制御用レールフレーム(17)内に突入され、その下縁(19ａ)が当該制御用レールフレーム(17)の下側水平板部上におかれ、正面枠(Ａ)の上端部側の安定を図る。
4，  当該カンヌキ杆(18)が制御用レールフレーム(17)のスリット状摺動案内用レール部(17ａ)内に位置させることにより、当該正面枠(Ａ)は、当該制御用レールフレーム(17)に支持されると共に奥方向にスライドさせてその収容が図られるように構成する。
【請求項３】
背面枠を正面枠(Ａ)と同様な構成とすることにより、正背何れの方向からも製品の出し入れができるように構成した請求項１または請求項２に記載の棚用折畳みパレット。
【考案の詳細な説明】
【技術分野】
【０００１】
本考案に係るパレットは、主として自動ラックによる保管及びピッキング用の棚としての利用に供するための棚用折畳みパレットに関する。
【背景技術】
【０００２】
元来、折畳みパレットとは、正背両面枠及び左右両面枠を、底面上に重ね合わせて折畳むように構成し、その保管時等に於いては当該折畳み状態で段積みして行うものであった。  そして、使用時には箱状に組立てた状態で、その上面開口部から所要製品等を収容するように構成したものである。（例えば、特許文献１参照。）。
【０００３】
【特許文献１】実公平７−２８１１３号公報
【考案の開示】
【考案が解決しようとする課題】
【０００４】
上述したような従来の折畳みパレットの場合、収容物の取り出しは、上面開口部から行うことを原則とするため、例えば自動ラックによる保管及びピッキング用の棚としての利用に供する場合、その収容物の取り出しは手作業に依存することを余儀なくされた。
【０００５】
そして、上記のような自動ラックによる保管及びピッキング用の棚としての利用に供する場合、従来に於いては、床枠を二重構造として空間を作り、当該空間内に取外した正面枠を収容するようにしたものもある。  然し乍、このようなものであると、床枠に空間を作るためにパレットの折畳み状態での高さが増し、そのため輸送効率が低下するばかりでなく、製造上においてもコストアップの要因とされた。
【０００６】
また、本願と同一考案者にしてかつ同一出願人に係る実用新案として、「正面枠の上縁部分を中心として前方に１８０度開閉可能とするように構成」することにより、上記のような問題を解決したものがある。
【０００７】
然し乍、この場合、正面枠の高さが低いものに限定され、当該正面枠の高さが高いものの場合、これを下方に垂らすように開いた場合、その存在が邪魔となるばかりでなく、多数のパレットを縦横に連結して多数の棚を形成した場合、上位のパレットの垂下状態に開かれた正面枠の存在が、下位に位置するパレットの正面部を覆ってしまうと言うような問題が生じてしまうこととなる。
【０００８】
本考案は、丈高な正面枠を具えた折畳みパレットであっても、上記のような問題を生じることなく、正面枠を開くことができるように構成し、これにより、例えば保管用部品等の収容及び取出しが、当該正面部分が自動ラックによる機械的取り出し及び収容と言うような作業行程の採用が可能化されるようにした新規の「棚用折畳みパレット」の提供を図ったものである。
【課題を解決するための手段】
【０００９】
本考案は請求項１に記載したような構成、すなわち、四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が床枠１上に重ね合わせるような折り畳みが成されるように構成した折畳みパレットおいて、その正面枠Ａとして、立ち上がり状態からパレットの上面部分に水平状態で押し込むことができるように、当該正面枠Ａの上端縁を柱体6，7の上端寄りに設けた所要のガイドレールに対して係脱自在に連結するように構成した棚用折畳みパレットに係る。
【００１０】
そして本考案は請求項２に記載のような構成、すなわち、下記する構成を具えた棚用折畳みパレットを実施の態様とするものである。
【００１１】
四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が床枠１上に重ね合わせるような折り畳みが成されるように構成した折畳みパレットおいて、その正面枠Ａが下記する1，〜4，の構成を備えたものとしてなる棚用折畳みパレット。
1，  当該正面枠Ａの下端縁側の支持手段として、下部フレーム９の両端面部に開閉制御用丸軸14，14を突設すると共に、当該開閉制御用丸軸14，14を着脱自在に支承するための開閉制御用プレート15，15を正面側のガイドポスト３，３の内側面に固設し、当該開閉制御用プレート15，15には鈎状を呈する制御用カム溝16を形成すると共に、当該カム溝16は、幅広な水平溝部16aと、これに連なりかつ当該水平溝部16a内に位置する前記開閉制御用丸軸14を外方に離脱させるための案内用弧状内縁ａを具えた離脱案内用溝部16bとを備えたものとし、更に、当該水平溝部16aの下縁中央部には、正面枠Ａを内側に折畳んだ状態から垂直状に立ち上がらせた状態に回転させる際にその回動を司る前記開閉制御用丸軸14を安定させるための上向き半円状凹所ｂを、また、上記離脱案内用溝部16bの開放端には、当該開閉制御用丸軸14を離脱させるための開放部ｃを形成するように構成する。
2，  当該正面枠Ａの上端縁側の支持手段として、内面側全長に亘ってスリットが形成されている角パイプ状杆材で形成され、かつ、当該スリットを下記カンヌキ杆18の摺動案内用レール部17ａとして機能させると共に、前端部分には当該スリット部分の下側立上がり板部全体を切欠くことにより、正面枠Ａに設けられている下記カンヌキ杆18の先端を受け容れるための案内用切欠き部17ｂを設けて成る制御用レールフレーム17，17を、前記側面枠５,５における上部フレーム5ａの上面に、左右対称的に取付ける。
3，  正面枠Ａの上部フレーム８の両端部上面に、レバー18ａの操作に基づきその出没作動がなされるように構成したカンヌキ杆18，18を設け、当該カンヌキ杆18の先端には、下縁19ａを水平縁とする略半円形状を呈するカム盤19を固設し、当該カム盤19はカンヌキ杆18を突出させることにより、前記案内用切欠き部17ｂから制御用レールフレーム17内に突入され、その下縁19ａが当該制御用レールフレーム17の下側水平板部上におかれ、正面枠Ａの上端部側の安定を図る。
4，当該カンヌキ杆18が制御用レールフレーム17のスリット状摺動案内用レール部17ａ内に位置させることにより、当該正面枠Ａは、当該制御用レールフレーム17に支持されると共に奥方向にスライドさせてその収容が図られるように構成する。
【００１２】
更に本考案は、請求項３に記載のように、背面枠を正面枠(Ａ)と同様な構成とすることにより、正背何れの方向からも製品の出し入れができるように構成した請求項１または請求項２に記載の棚用折畳みパレットを実施の態様とするものである。
【考案の効果】
【００１３】
本考案に係る折畳みパレットは、請求項１に記載のように、四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が床枠１上に重ね合わせるような折り畳みが成されるように構成した折畳みパレットおいて、その正面枠Ａとして、立ち上がり状態からパレットの上面部分に水平状態で押し込むことができるように、当該正面枠Ａの上端縁を柱体6，7の上端寄りに設けた所要のガイドレールに対して係脱自在に連結するように構成したから、正面枠Ａ部分を完全に開いた状態に保つことができ、従って、上面開口部から製品の出し入れを行っていた従来の折畳みパレットの場合に生じるその作業の煩雑性、並びに手作業に依らなければならないというような作業の限定性は全く解消される。
【００１４】
更に、このような正面開放状態下において、正面枠Ａはパレットの上面部分に水平状態で収容された状態を保つため、例えばこれを下方に垂れ下げるように構成した場合に生じる、「その存在が邪魔となるばかりでなく、多数のパレットを縦横に連結して多数の棚を形成した場合、上位のパレットの垂下状態に開かれた正面枠の存在が、下位に位置するパレットの正面部を覆ってしまう」と言うような既述した問題の発生が、本考案にあっては全て解消されることとなる。
【００１５】
結局、本考案に依れば、通常は折畳みパレットとして従来のパレットと同様な機能を果たし、また、頻繁なる収容製品の出し入れを行う場合（例えば製造工場における部品収容用パレットとしての使用の場合等）、正面枠Ａを完全に開いた状態に保っておくことにより、その出し入れがパレットの正面から行うことができ、従って、当該正面部分から自動ラックによる機械的取り出し及び収容と言うような作業行程の採用が可能化される。  換言すると、本考案に係る折畳みパレットは、単なる収容用容器と言うよりも、これを多段他列に積層化することにより部品収容用棚枠としての利用が図られ、パレットとしての利用性が著しく高められることとなる。
【００１６】
本考案は請求項２に記載のような下記する構成を採用したから、後述するような作用効果を奏することとなる。
すなわち、四隅にガイドポスト３を設けた床枠１の後端縁に背面枠４を起伏自在に取り付けると共に、当該ガイドポスト３に起伏自在に連結して成る正面側柱体６と背面側柱体７に対して、左右の側面枠５，５を取付け、当該背面枠４及び左右の側面枠５，５が床枠１上に重ね合わせるような折り畳みが成されるように構成した折畳みパレットおいて、その正面枠Ａが下記する1，〜4，の構成を備えたものとしてなる棚用折畳みパレット。
1，  当該正面枠Ａの下端縁側の支持手段として、下部フレーム９の両端面部に開閉制御用丸軸14，14を突設すると共に、当該開閉制御用丸軸14，14を着脱自在に支承するための開閉制御用プレート15，15を正面側のガイドポスト３，３の内側面に固設し、当該開閉制御用プレート15，15には鈎状を呈する制御用カム溝16を形成すると共に、当該カム溝16は、幅広な水平溝部16aと、これに連なりかつ当該水平溝部16a内に位置する前記開閉制御用丸軸14を外方に離脱させるための案内用弧状内縁ａを具えた離脱案内用溝部16bとを備えたものとし、更に、当該水平溝部16aの下縁中央部には、正面枠Ａを内側に折畳んだ状態から垂直状に立ち上がらせた状態に回転させる際にその回動を司る前記開閉制御用丸軸14を安定させるための上向き半円状凹所ｂを、また、上記離脱案内用溝部16bの開放端には、当該開閉制御用丸軸14を離脱させるための開放部ｃを形成するように構成する。
2，  当該正面枠Ａの上端縁側の支持手段として、内面側全長に亘ってスリットが形成されている角パイプ状杆材で形成され、かつ、当該スリットを下記カンヌキ杆18の摺動案内用レール部17ａとして機能させると共に、前端部分には当該スリット部分の下側立上がり板部全体を切欠くことにより、正面枠Ａに設けられている下記カンヌキ杆18の先端を受け容れるための案内用切欠き部17ｂを設けて成る制御用レールフレーム17，17を、前記側面枠５,５における上部フレーム5ａの上面に、左右対称的に取付ける。
3，  正面枠Ａの上部フレーム８の両端部上面に、レバー18ａの操作に基づきその出没作動がなされるように構成したカンヌキ杆18，18を設け、当該カンヌキ杆18の先端には、下縁19ａを水平縁とする略半円形状を呈するカム盤19を固設し、当該カム盤19はカンヌキ杆18を突出させることにより、前記案内用切欠き部17ｂから制御用レールフレーム17内に突入され、その下縁19ａが当該制御用レールフレーム17の下側水平板部上におかれ、正面枠Ａの上端部側の安定を図る。
4，当該カンヌキ杆18が制御用レールフレーム17のスリット状摺動案内用レール部17ａ内に位置させることにより、当該正面枠Ａは、当該制御用レールフレーム17に支持されると共に奥方向にスライドさせてその収容が図られるように構成する。
【００１７】
本考案は上記のような構成の採用に基づき、請求項１の場合に記載したような作用効果が奏されると共に、当該正面枠Ａの開閉作動が極めてシンプルな構造にして確実かつ安定した作動を奏することが出来る。
【００１８】
すなわち、正面枠Ａの開閉作動の制御を、カム盤19を具えたカンヌキ杆18と制御用レールフレーム17，17との係合に基づき成されるため、作動の確実化目的の達成が図られると同時に、その構造上のシンプル性に基づき、製造の容易性及び製造コストの低廉性が図られる。
【００１９】
本考案は請求項３に記載のような構成、すなわち、背面枠を正面枠Ａと同様な構成とすることにより、正背何れの方向からも製品の出し入れができるように構成することにより、製品の出し入れが正面枠Ａがわに限定されると言うような指向性が排除され、背面枠側からの出し入れ、並びに、正背両面からの出し入れというように、製品の出し入れ作業の多様化を図ることができる。
【考案を実施するための最良の形態】
【００２０】
図面は本考案に係る棚用折畳みパレットの一実施例を表したものである。
図１乃至図３において、１は底面にスキー２を取付けた床枠であって、その四隅にはガイドポスト３が立設されている。  3ａは該ガイドポスト３の下面に突設した連結用突起片であって、組立て状態にある複数のパレットを積重ねる際に、上位に位置するパレットに於ける後記柱体の上端に係合して積重ね状態の安定化を図るためのものである。
【００２１】
４は床枠１の後端縁に対して起伏自在に取付けた背面枠であって、折畳み時には床枠１の上面に対して重ねた状態で倒すことができるように構成してある。
【００２２】
５，５は左右の側面枠であって、その両側縁には正面側柱体６と背面側柱体７が取付けられており、当該両柱体６，７の下端は、前述したガイドポスト３に対して起伏自在に取付けてある。  なお、当該正面側柱体６は単なる角材であっても良い。  然し乍、軽量性及び製造の容易性を考慮した場合、両柱体6，7は何れも中空角パイプ材製とすることが好ましい。
【００２３】
上記した両柱体６，７であるが、これは前記ガイドポスト３に対して、不使用時には内側方向への折畳みが許容され、またパレットとしての使用時には、これが直立状態に保たれように構成してある。  3bは折畳み制御用係止突起であって、上記したような両柱体６，７の折畳み状態での係止安定化を図るためのものである。  
なお、このような正面側柱体６と背面側柱体７のガイドポスト３に対する取付け形態は特許文献１に示されているように公知技術に属し、この種の組立てパレットにあっては常套的手段に属するものである。
【００２４】
ところで、従来の折畳みパレットにあっては、正面枠及び背面枠並びに両側面枠を、床枠の各端縁に対して起伏自在に立ち上がらせるように取付け、折畳み時には床枠１の上面に重ね合わせて倒伏させられるように構成したものであった。
【００２５】
本考案は、その正面枠Ａ部分の構成として、以下に述べるような構成を採ることに依り、立ち上がり状態から上面側に押し込むような折畳みが成されるように構成し、これにより、当該正面枠Ａ部分を前方に全面的に開放可能とすることによって、製品の収容及び取出しが極めて容易に果されると言う、独自の作用効果が奏せられるようにしたことを特徴とする。
【００２６】
図面に示すように、上記した正面枠Ａは、上部フレーム８、下部フレーム９、左右の側部フレーム10，11とで矩形状に形成したものであり、図示の実施例においては、当該矩形状の枠体に対して網材12を張設することによって、その内部確認の容易化が図られるような形態としてある。  然し乍、これは絶対的要件ではなく、板材を張設するように構成しても良い。  13は当該正面枠Ａに張設したカードホルダープレートであって、収容製品に対する詳細を表示しておくためのものである。
【００２７】
上記した正面枠Ａの取付け形態であるが、この構成が本考案の要部とするものであり、下記のように構成してある。
【００２８】
まず、当該正面枠Ａの下端部における支持形態であるが、これは下記のように構成されている。
【００２９】
14，14は正面枠Ａにおける下部フレーム９の両端面部に突設した開閉制御用丸軸、15，15は当該開閉制御用丸軸14，14を着脱自在に支承するための開閉制御用プレートであって、図１に示すように正面側のガイドポスト３，３の内側面に固設してある。  
【００３０】
そして、上記した開閉制御用プレート15は、図５に示すように、鈎状を呈する制御用カム溝16を具えており、当該カム溝16は、幅広な水平溝部16aと、これに連なりかつ当該水平溝部16a内に位置する開閉制御用丸軸14を外方に離脱させるための案内用弧状内縁ａを具えた離脱案内用溝部16bとから成るものである。
そして、当該水平溝部16aの下縁中央部には、正面枠Ａを内側に折畳んだ状態から垂直状に立ち上がらせた状態に回転させる際にその回動を司る開閉制御用丸軸14を安定させるための上向き半円状凹所ｂが、また、上記離脱案内用溝部16bの開放端には、当該開閉制御用丸軸14を離脱させるための開放部ｃを形成してある。
【００３１】
上記制御用プレート15,15に対して、開閉制御用丸軸14,14を介して支承された正面枠Ａは、図５に鎖線で示すように、水平折畳み状態から垂直状立ち上がり状態（組立て状態）に回動することができる。  そして、その立ち上がり状態においては、開閉制御用丸軸14,14が上向き半円状凹所ｂ内に係合し、その安定化が図られるように構成してある。
【００３２】
そして、当該正面枠Ａは、その立ち上がり状態からその下端縁を後方にやや押し込むと共に、これを押上ながらその下端縁を前方に引出すことにより、その開閉制御用丸軸14,14が制御用カム溝16の開放部ｃから開放され、当該正面枠Ａの下端縁が取外されるように構成してある。
【００３３】
次に、上記した正面枠Ａの組み立て状態での上端支持形態であるが、これは下記のように構成されている。
【００３４】
既述したように、正面側柱体６と背面側柱体７との間には側面枠5，5が固設されており、当該両柱体6，7の起伏に基づき側面枠5，5の水平状折畳み及び垂直状組立てが成されるようになっており、このような構成は従来から行われている常套手段に属するものである。
【００３５】
そして、本考案にあっては図６乃至図８に示すように、このような側面枠５,５における上部フレーム5ａの上面に、下記のよう形態を具えた制御用レールフレーム17，17を左右対称的に取付け、当該レールフレーム17，17  に対して、正面枠Ａを着脱自在にしてかつ摺動可能に係合させるように構成したことを技術的特徴の一つとするものである。
【００３６】
上記した制御用レールフレーム17であるが、これは角パイプ状杆材にしてその内面側にその全長に亘ってスリット（切溝）が形成されている杆材で形成されている。  そして、当該制御用レールフレーム17は上記スリットを下記するカンヌキ杆18の摺動案内用レール部17ａとして機能させると共に、その前端部分は当該スリット部分の下側立上がり板部全体を切欠くことにより、正面枠Ａに設けられている下記カンヌキ杆18の先端を受け入れるための案内用切欠き部17ｂを設けるように構成してある。
【００３７】
18，18は正面枠Ａの上部フレーム８の両端部上面に取付けたカンヌキ杆であって、
レバー18ａの操作に基づき、その出没的摺動が行われるように構成してある。  そして、当該カンヌキ杆18の先端には、下縁19ａを水平縁とする略半円形状を呈するカム盤19が固設されており、当該カム盤19はカンヌキ杆18を突出させることにより、前記案内用切欠き部17ｂから制御用レールフレーム17内に突入され、その下縁19ａが当該制御用レールフレーム17の下側水平板部上に置かれ、正面枠Ａの上端部側の安定が図られるように構成してある。
【００３８】
そして、上記のような安定状態（組立て状態）にある正面枠Ａであるが、例えば自動ラックによる機械的取り出し及び収容と言うような作業行程の採用するに際して、当該正面枠Ａを取外した状態でパレットを使用する場合、当該正面枠Ａをやや持ち上げると共に、その下端縁側を既述したように、「当該正面枠Ａは、その立ち上がり状態からその下端縁を後方にやや押し込むと共に、これを押上ながらその下端縁を前方に引出すことにより、その開閉制御用丸軸14,14が制御用カム溝16の開放部ｃから開放され、当該正面枠Ａの下端縁が取外されるように構成してある」ことに基づき開放し、これにより、当該正面枠Ａはカンヌキ杆18による吊り下げ状態におかれることとなる。
【００３９】
この状態において、正面枠Ａをやや持ち上げながら水平状に保つことにより、そのカンヌキ杆18を、制御用レールフレーム17の摺動案内用レール部17ａ内に押し上げて位置させ（図７参照）、この状態で正面枠Ａを水平に押し込めば、当該正面枠Ａはパレットの上面部分に片付けられた状態となる。  なお、正面枠Ａのこのような水平状態下での安定を図るための手段としては、適宜ストッパーを設けるか、或いは、下端に設けられている開閉制御用丸軸14を制御用レールフレーム17に対して係止させる等しておこなうものであるが、その手段は適宜なものであつて可とし、本考案において重要なことは、正面枠Ａを組立て状態にあるパレットの上面部分にスライドさせて収容してしまうように構成したことにある。
【００４０】
本考案は、図１及び図２に示す状態において、これを複数単位適宜積み上げて棚枠として利用に供するものであり、製品の出し入れを行う際には、正面枠Ａを既述した如くして上面部分に押し込んで正面の開放化を図った状態で行うものである。
【００４１】
そして、図１及び図２に示す状態から折畳む際には、背面枠４と正面枠Ａを床枠１上に倒すと共に、正面側柱体６と背面側柱体７をガイドポスト３に対する係止を解除してこれを内方に倒すことにより、左右の側面枠５，５も床枠１上に倒され、これによりパレットは扁平状態に折畳まれることとなり、この状態で保管及び輸送に供されることとなる。
【００４２】
ところで、図示の実施例にあっては正面枠Ａのみが上面部分に押し込まれるように構成してあるが、背面枠４も当該正面枠Ａと同様な形態とするように構成することに依り、正背何れの方向からの製品の出し入れができるようにすることも可能である。  本考案はこのような形態で実施することもある。
【図面の簡単な説明】
【００４３】
【図１】本考案に係る折畳みパレットの正面図である。
【図２】本考案に係る折畳みパレットの側面図である。
【図３】本考案における床枠１部分を表した説明用略図的平面図である。
【図４】本考案の要部とする正面枠Ａの下端縁支持部分を表した正面図である。
【図５】同上部分の作動を表した説明用側面図である。
【図６】本考案の要部とする正面枠Ａの上縁支持部分を表した説明用正面図である。
【図７】同上部分の作動を表した説明用側面図である。
【図８】制御用レールフレーム17と正面枠Ａのカンヌキ杆18との関係を表した説明用略図である。
【符号の説明】
【００４４】
１    床枠
２    スキー
３    ガイドポスト
3a    連結用突起片
3b    折畳み制御用係止突起
４    背面枠
4a    上部フレーム  
５    左右の側面枠
６    正面側柱体
７    背面側柱体
Ａ    正面枠
８    上部フレーム
９    下部フレーム
10    側部フレーム
11    側部フレーム
12    網材
13    カードホルダープレート
14    開閉制御用丸軸
15    開閉制御用プレート
16    制御用カム溝
16ａ  水平溝部
16ｂ  離脱案内用溝部
ａ    案内用弧状内縁
ｂ    上向き半円状凹所
ｃ    開放部
17    制御用レールフレーム
17ａ  摺動案内用レール部
17ｂ  案内用切欠き部
18    カンヌキ杆
18ａ  レバー
19    カム盤
19ａ  下縁
【図１】
0003141547.tif 000003
【図２】
0003141547.tif 000004
【図３】
0003141547.tif 000005
【図４】
0003141547.tif 000006
【図５】
0003141547.tif 000007
【図６】
0003141547.tif 000008
【図７】
0003141547.tif 000009
【図８】
0003141547.tif 000010